(57)【要約】      （修正有）【課題】自動撮影機能により操作者の操作負担を軽減しつつ、被験者の負担を増大することなく好適な露光状態の撮影画像を提供する。【解決手段】被検眼を観察するための観察光を発する観察光源と、被検眼を撮影するための撮影光を発する撮影光源と、を有する眼科撮影装置は、観察光源により照明された被検眼の観察像の測光値を取得する測光部と、被検眼を目標位置に合わせるアライメント処理を行うアライメント処理部と、アライメント処理の完了前の測光値を用いて撮影光源の光量を調整する撮影光量調整部と、アライメント処理の完了後、撮影光量調整部で調整された光量を用いて被検眼の撮影を行う撮影処理部と、を備える。【選択図】図１
2014094181.tif 000002
【特許請求の範囲】
【請求項１】
被検眼を観察するための観察光を発する観察光源と、被検眼を撮影するための撮影光を発する撮影光源と、を有する眼科撮影装置であって、
前記観察光源により照明された被検眼の観察像の測光値を取得する測光手段と、
前記被検眼を目標位置に合わせるアライメント処理を行うアライメント処理手段と、
前記アライメント処理の完了前の前記測光値を用いて前記撮影光源の光量を調整する撮影光量調整手段と、
前記アライメント処理の完了後、前記撮影光量調整手段で調整された光量を用いて前記被検眼の撮影を行う撮影処理手段と、
を備えることを特徴とする眼科撮影装置。
【請求項２】
前記観察光源により照明された前記被検眼に対するフォーカスを調整する合焦処理手段を更に備え、
前記フォーカスの調整の完了後に、前記測光手段は前記観察光源により照明された前記被検眼の観察像の測光値を取得することを特徴とする請求項１に記載の眼科撮影装置。
【請求項３】
前記測光値により前記観察光源の光量を調整する観察光量調整手段を更に備え、
前記アライメント処理手段は、前記観察光量調整手段で調整された光量の観察画像を用いて前記アライメント処理を行うことを特徴とする請求項１または２に記載の眼科撮影装置。
【請求項４】
前記フォーカスの調整結果が閾値範囲内に収まるか判定する合焦判定手段を更に備え、
前記フォーカスの調整結果が前記閾値範囲内に収まる場合、前記測光手段は前記測光値を取得するための処理を実行することを特徴とする請求項２に記載の眼科撮影装置。
【請求項５】
前記アライメント処理の結果が閾値範囲内に収まるか判定するアライメント判定手段を更に備え、
前記アライメント処理の結果が前記閾値範囲内に収まる場合、前記撮影処理手段は、前記調整された前記撮影光源の光量で前記被検眼の撮影を行うことを特徴とする請求項１乃至４のいずれか１項に記載の眼科撮影装置。
【請求項６】
前記撮影光量調整手段は、前記アライメント処理が完了する前に、前記測光値を用いて前記撮影光源の光量を調整することを特徴とする請求項１乃至５のいずれか１項に記載の眼科撮影装置。
【請求項７】
前記アライメント処理手段の処理に対して前記測光手段の処理を並列に実行するように制御する制御手段を更に備えることを特徴とする請求項１乃至６のいずれか１項に記載の眼科撮影装置。
【請求項８】
前記アライメント処理手段の処理に対して前記撮影光量調整手段の処理を並列に実行するように制御する制御手段を更に備えることを特徴とする請求項１乃至６のいずれか１項に記載の眼科撮影装置。
【請求項９】
被検眼を観察するための観察光を発する観察光源と、被検眼を撮影するための撮影光を発する撮影光源と、を有する眼科撮影装置の制御方法であって、
測光手段が、前記観察光源により照明された被検眼の観察像の測光値を取得する測光工程と、
アライメント処理手段が、前記被検眼を目標位置に合わせるアライメント処理を行うアライメント処理工程と、
撮影光量調整手段が、前記アライメント処理の完了前の前記測光値を用いて前記撮影光源の光量を調整する撮影光量調整工程と、
撮影処理手段が、前記アライメント処理の完了後、前記撮影光量調整工程で調整された光量を用いて前記被検眼の撮影を行う撮影処理工程と、
を有することを特徴とする制御方法。
【請求項１０】
合焦処理手段が、前記観察光源により照明された前記被検眼に対するフォーカスを調整する合焦処理工程を更に有し、
前記フォーカスの調整の完了後に、前記測光工程は前記観察光源により照明された前記被検眼の観察像の測光値を取得することを特徴とする請求項９に記載の制御方法。
【請求項１１】
観察光量調整手段が、前記測光値により前記観察光源の光量を調整する観察光量調整工程を更に有し、
前記アライメント処理工程は、前記観察光量調整工程で調整された光量の観察画像を用いて前記アライメント処理を行うことを特徴とする請求項９または１０に記載の制御方法。
【請求項１２】
合焦判定手段が、前記フォーカスの調整結果が閾値範囲内に収まるか判定する合焦判定工程を更に有し、
前記フォーカスの調整結果が前記閾値範囲内に収まる場合、前記測光工程は前記測光値を取得するための処理を実行することを特徴とする請求項１０に記載の制御方法。
【請求項１３】
アライメント判定手段が、前記アライメント処理の結果が閾値範囲内に収まるか判定するアライメント判定工程を更に有し、
前記アライメント処理の結果が前記閾値範囲内に収まる場合、前記撮影処理工程は、前記調整された前記撮影光源の光量で前記被検眼の撮影を行うことを特徴とする請求項９乃至１２のいずれか１項に記載の制御方法。
【請求項１４】
前記撮影光量調整工程は、前記アライメント処理が完了する前に、前記測光値を用いて前記撮影光源の光量を調整することを特徴とする請求項９乃至１３のいずれか１項に記載の制御方法。
【請求項１５】
制御手段が、前記アライメント処理工程の処理に対して前記測光工程の処理を並列に実行するように制御する制御工程を更に有することを特徴とする請求項９乃至１４のいずれか１項に記載の制御方法。
【請求項１６】
制御手段が、前記アライメント処理工程の処理に対して前記撮影光量調整工程の処理を並列に実行するように制御する制御工程を更に有することを特徴とする請求項９乃至１４のいずれか１項に記載の制御方法。
【請求項１７】
コンピュータを、請求項１乃至８のいずれか１項の眼科撮影装置の各手段として機能させるためのプログラム。
【発明の詳細な説明】
【技術分野】
【０００１】
本発明は眼科撮影装置、眼科撮影装置の制御方法およびプログラムに関する。
【背景技術】
【０００２】
被検眼の眼底を撮影する眼科撮影装置において、操作者の操作負担軽減のため、眼科撮影装置のアライメント状態、および合焦状態が適正と判断した場合に、自動で撮影する自動撮影機能を有する眼科撮影装置がある。また、撮影光源の撮影光量を自動で設定する撮影光量自動調整機能を有する眼科撮影装置がある。
例えば、特許文献１には、アライメント状態の確認結果、および合焦状態の確認結果が適正範囲内であると判断した場合、自動で撮影する眼科撮影装置が開示されている。また、 特許文献２には、本撮影前に撮影光源をテスト発光し、その反射光の受光結果をもとに本撮影用の撮影光量を決定する眼科撮影装置が開示されている。そして、特許文献３には、被検眼の眼底からの観察光に対する反射光を受光して測光した結果をもとに撮影光源の光量を決定する眼科撮影装置が開示されている。
【先行技術文献】
【特許文献】
【０００３】
【特許文献１】特開２００９-１７２１５４号公報
【特許文献２】特開２００５-２７９１５４号公報
【特許文献３】特開２０１２-０５０５９５号公報
【発明の概要】
【発明が解決しようとする課題】
【０００４】
特許文献１に開示されているように、アライメント状態と合焦状態の確認結果をもとに自動撮影制御を行った場合、撮影画像の露光結果が好適でない場合がある。また、特許文献２に開示されているように、撮影光源をテスト発光した後に本撮影を実行する構成の眼科撮影装置では、テスト発光により被検者に負担を与える可能性がある。そして、特許文献３に開示されているように、測光結果が安定してから撮影動作を許可する眼科撮影装置では、アライメント状態、および合焦状態が適正と判断した場合でも撮影動作が許可されない場合がある。この場合、自動撮影機能を有する眼科撮影装置において操作性を損なうおそれがある。
【課題を解決するための手段】
【０００５】
本発明は、上述のような従来技術の課題に鑑みてなされたものであり、自動撮影機能により操作者の操作負担を軽減しつつ、被験者の負担を増大することなく好適な露光状態の撮影画像を得ることが可能な眼科撮影技術を提供することを目的とする。
【０００６】
本発明の一つの側面に係る眼科撮影装置は、被検眼を観察するための観察光を発する観察光源と、被検眼を撮影するための撮影光を発する撮影光源と、を有する眼科撮影装置であって、
前記観察光源により照明された被検眼の観察像の測光値を取得する測光手段と、
前記被検眼を目標位置に合わせるアライメント処理を行うアライメント処理手段と、
前記アライメント処理の完了前の前記測光値を用いて前記撮影光源の光量を調整する撮影光量調整手段と、
前記アライメント処理の完了後、前記撮影光量調整手段で調整された光量を用いて前記被検眼の撮影を行う撮影処理手段と、を備えることを特徴とする。
【発明の効果】
【０００７】
本発明によれば撮影光量を自動調光する機能と自動撮影機能を有する眼科撮影装置において、自動撮影機能により操作者の操作負担を軽減しつつ、被験者の負担を増大することなく好適な露光状態の撮影画像を得ることが可能になる。
【図面の簡単な説明】
【０００８】
【図１】第１実施形態に係る眼科撮影装置の構成を示す図。
【図２】第１実施形態の眼科撮影装置における被検眼眼底の観察状態を示す図。
【図３Ａ】第１実施形態の眼科撮影装置における撮影処理の流れを説明する図。
【図３Ｂ】第１実施形態の眼科撮影装置の機能構成を説明する図。
【図４】第２実施形態の眼科撮影装置の機能構成を説明する図。
【図５】第２実施形態の眼科撮影装置における撮影処理の流れを説明する図。
【発明を実施するための形態】
【０００９】
（第１実施形態）
図１は、本発明の第１実施形態に係る眼科撮影装置の構成を示す図である。本実施形態では、眼科撮影装置として、無散瞳型の眼科撮影装置の構成を例示的に説明する。観察光源１１から対物レンズ１８に至る光路上には、コンデンサレンズ１２、撮影光源１３、ミラー１４、リング状の開口を有する絞り１５、リレーレンズ１６、孔あきミラー１７が順に配列され、眼底照明光学系１を構成する。孔あきミラー１７の透過方向の光路上には、合焦レンズ１９、撮影レンズ２０、跳上げミラー２１が配列され、撮影部１００内に構成されている撮像素子１０２に至る眼底撮影光学系２を構成している。また、跳上げミラー２１の反射方向には、被検眼Eの固視を誘導するためのＬＥＤ等の発行部材を整列配置した内部固視灯２２が構成されている。ここで、観察光源１１は赤外光を発するＬＥＤ光源であり、跳上げミラー２１は赤外光を透過し可視光を反射するミラーとなっている。
一方、孔あきミラー１７の前面には、図示していないが、アライメント指標のＬＥＤ光源とその光束を導く導光体の出射端が配置されており、被検眼Ｅの角膜面にアライメント指標を投影するアライメント用指標投影系を構成している。同様に、図示していないが、眼底照明光学系１には、被検眼Eの眼底Ｅｒにフォーカス指標を投影するフォーカス用指標投影系が構成されている。また、撮影光源１３の光量調整を行う撮影光量調整部２４、被検眼Ｅｒの静止画撮影を実行する撮影開始スイッチを構成した入力部２３が、それぞれ眼科撮影装置全体の制御を行うシステム制御部２５に接続されている。
【００１０】
次に、撮影部１００内の構成について説明する。本実施形態における撮影部１００は、例えば、取り外し可能な一眼レフタイプのデジタルカメラである。尚、この例はあくまでも一例であり、本発明の趣旨は、一眼レフタイプのデジタルカメラに撮影部１００の構成が限定されるものではない。撮影部１００内には、撮影部１００の制御を行うカメラ制御部１０５、撮像素子１０２、撮像素子１０２からの出力に対する測光値を算出する測光部１０３、LCD等の観察用モニター１０４がそれぞれ構成されている。また、撮像素子１０２の前面には、撮影部１００内の跳上げミラー１０１、シャッター幕として先幕１１０、後幕１１１が構成されている。カメラ制御部１０５は、跳上げミラー１０１、先幕１１０、後幕１１１、測光部１０３、観察用モニター１０４にそれぞれ接続され、撮影部１００の全体的な制御を行うとともに、眼科撮影装置の全体の制御を行うシステム制御部２５に接続されている。
【００１１】
観察光源１１を出射した赤外光の光束は、コンデンサレンズ１２、撮影光源１３を通り、ミラー１４で反射される。ミラー１４で反射された反射光は、絞り１５、リレーレンズ１６を通り、孔あきミラー１７の周辺で反射され、対物レンズ１８、被検眼Ｅの瞳Ｅｐを通り赤外光で眼底Ｅｒを照明する。赤外光で照明された眼底Ｅｒの赤外反射光は、被検眼Ｅの瞳Ｅｐ、対物レンズ１８、孔あきミラー１７の孔の中を通り、合焦レンズ１９、撮影レンズ２０、跳上げミラー２１を透過し、撮像素子１０２上に結像する。このように、観察光源１１から出射した赤外光は、眼底Ｅｒで反射された後、撮像素子１０２上に結像し、観察用モニター１０４にて観察できる。ここで、観察時に跳上げミラー１０１を眼底撮影光学系２から退避し、先幕１１０、後幕１１１を解放状態とすることで、眼底Ｅｒからの反射光を撮像素子１０２に導光可能となる。測光部１０３は、撮像素子１０２からの出力に対する測光処理を行う。撮影光量調整部２４は、測光部１０３の測光結果にもとづき、撮影に好適な撮影光量を決定する。
【００１２】
アライメント用指標投影系およびフォーカス用指標投影系から発せられた光は、それぞれ被検眼の眼底Ｅｒと角膜面で反射され、撮像素子１０２上に結像する。眼底Ｅｒの観察像Ｅｒ’とともに、アライメント指標ＷＤ１、ＷＤ２およびフォーカス指標ＳＰは、観察用モニター１０４上にて、例えば図２のように観察可能となる。図２において、Ｍはアライメント位置を示す。アライメント処理では、アライメント指標ＷＤ１、ＷＤ２がアライメント位置Ｍに入るように、被検眼Ｅと眼科撮影装置との位置合わせが行われる。  次に本実施形態における操作者の操作および眼科撮影装置の動作について図３Ａ、図３Ｂを用いて説明する。図３Ａは第１実施形態の眼科撮影装置における撮影処理の流れを説明する図であり、図３Ｂは眼科撮影装置の機能構成を説明する図である。
【００１３】
まず、位置合わせ部３０は、被検眼Ｅの前眼観察中に眼科撮影装置と被検眼Ｅとの大まかな位置合わせを行う（前眼観察モード）。位置合わせ完了後、システム制御部２５は、眼科撮影装置の処理を、前眼観察状態（前眼観察モード）から眼底観察状態（眼底観察モード）へ移行する（Ｓ３０１）。前眼観察状態（前眼観察モード）から眼底観察状態（眼底観察モード）への移行を検知すると、合焦処理部３１はフォーカス指標ＳＰ（図２）が横一直線になるように被検眼Ｅの眼底Ｅｒに対する合焦処理（フォーカス調整）を行う（Ｓ３０２）。
【００１４】
合焦判定部３２は、合焦処理の結果（フォーカスの調整結果）が適正範囲内（閾値範囲内）か否かを判定する（Ｓ３０３）。合焦処理の結果が閾値範囲内に収まらない場合（Ｓ３０３−Ｎｏ）、処理をステップＳ３０２に戻し、合焦処理を継続する。合焦処理の結果が閾値範囲内に収まった場合（Ｓ３０３−Ｙｅｓ）、アライメント処理（Ｓ３０４）および測光処理（Ｓ３０６）へ処理は進められる。システム制御部２５は、アライメント処理部３３の処理に対する測光部１０３の処理のタイミングを制御することが可能である。例えば、アライメント処理部３３によりアライメント処理（Ｓ３０４）が実行され、測光部１０３によって測光処理（Ｓ３０６）が実行され、２つの処理は並列に実行される。
【００１５】
まず、ステップＳ３０４のアライメント処理において、アライメント処理部３３は、アライメント指標ＷＤ１、ＷＤ２が目標とするアライメント位置Ｍ（目標位置）に入るように、被検眼Ｅと眼科撮影装置との位置合わせを行う。
【００１６】
ステップＳ３０５において、アライメント判定部３４は、位置合わせの結果が閾値範囲内か否かを判定する。位置合わせの結果が閾値範囲内に収まっていない場合（Ｓ３０５−Ｎｏ）、処理をステップＳ３０４に戻し、アライメント処理を継続する。アライメント判定部３４が、位置合わせの結果が閾値範囲内と判断した場合（Ｓ３０５−Ｙｅｓ）、システム制御部２５は、眼科撮影装置の処理を自動撮影処理（Ｓ３０８）へ移行する。
【００１７】
一方、合焦処理の結果が閾値範囲内に収まった場合（Ｓ３０３−Ｙｅｓ）、ステップＳ３０６において、システム制御部２５は測光処理を開始するようカメラ制御部１０５に制御信号を出力する。制御信号に従いカメラ制御部１０５は測光部１０３の動作を制御する。測光部１０３は撮像素子１０２からの出力に基づき、観察光に対する眼底Ｅｒからの反射光に基づいて測光処理を行う。
【００１８】
ステップＳ３０７において、撮影光量調整部２４は、カメラ制御部１０５およびシステム制御部２５を介して、測光部１０３の測定結果（測光値）を取得する。そして、撮影光量調整部２４は、合焦処理の結果が閾値範囲内であると合焦判定部３２が判断した後で、アライメント処理が完了する前に、測光部１０３が測光した測光値に基づき、撮影処理のための撮影光量を決定する。ここで、システム制御部２５は、アライメント処理部３３の処理に対する撮影光量調整部２４の処理のタイミングを制御することが可能である。
【００１９】
尚、図３Ａの説明で、ステップＳ３０６の測光処理はステップＳ３０３の合焦完了後に実行される構成を説明したが、本発明の趣旨はこの例に限定されるものではない。本発明の実施形態は、アライメント完了前の測光値を用いて光量調整を行うものであり、ステップＳ３０３の合焦完了後でなく、例えば、合焦完了寸前の測光値を用いることも可能である。この場合、より短時間に撮影を行うことが可能となり、被験者の負担を増大することなく好適な露光状態の撮影画像を得ることが可能になる。
【００２０】
また、図３Ａにおいて、ステップＳ３０７の撮影光量調整処理は、ステップＳ３０４のアライメント処理（Ｓ３０４）の開始後に実行される構成を説明しているが、本発明の趣旨はこの例に限定されるものではない。
【００２１】
ステップＳ３０６の測光処理が、例えば、合焦完了寸前の測光値を用いて処理される場合、撮影光量調整部２４は、測光部１０３の測定結果を取得して、アライメント処理（Ｓ３０４）と撮影光量調整処理とを並列に処理してもよい。また、撮影光量調整部２４は、アライメント処理（Ｓ３０４）よりも前のタイミングで撮影光量調整処理を実行することも可能である。
【００２２】
合焦処理の結果が閾値範囲内の場合、フォーカス方向の光量の変動は少ないため被検眼Ｅと眼科撮影装置とのアライメント処理による測光結果への影響は小さい。また、合焦処理後、撮影前の観察光に対する眼底Ｅｒからの反射光の測光結果を使用することで、被験者の負担を増やすことなく有用な測光結果を取得することが可能となる。
【００２３】
ステップＳ３０８の自動撮影処理において、自動撮影処理部３５は撮影光量調整部２４を制御して、決定された撮影光量による自動撮影を実行する。すなわち、アライメント判定部３４が、位置合わせの結果が閾値範囲内と判断した直後に、自動撮影処理部３５の制御の下、適正な撮影光量による自動撮影が可能となる。本実施形態では、眼科撮影装置を無散瞳型としたが、撮影光量調整部およびシステム制御部の機能構成を有する眼科撮影装置であれば無散瞳型の眼科撮影装置に限らない。
【００２４】
本実施形態によれば、撮影光量を自動調光する機能と、自動撮影機能を有する眼科撮影装置において、自動撮影機能により操作者の操作負担を軽減しつつ、被験者の負担を増大することなく好適な露光状態の撮影画像を得ることが可能となる。
【００２５】
（第２実施形態）
本発明の第２実施形態に係る眼科撮影装置を図４、図５により説明する。図４は第２実施形態に係る眼科撮影装置の機能構成を説明する図であり、図５は、眼科撮影装置における自動撮影制御に係る処理の流れを説明する図である。図４に示すように、第２実施形態に係る眼科撮影装置では、観察光源１１の光量を調整する観察光量調整部２８が更に追加されている。第１実施形態の機能構成と同様の機能構成については、図３Ｂと同様の参照番号としている。
【００２６】
まず、位置合わせ部３０は被検眼Ｅの前眼観察中に眼科撮影装置と被検眼Ｅとの大まかな位置合わせを行う（前眼観察モード）。位置合わせ完了後、システム制御部２５は、眼科撮影装置の処理を、前眼観察状態（前眼観察モード）から眼底観察状態（眼底観察モード）へ移行する（Ｓ５０１）。前眼観察状態（前眼観察モード）から眼底観察状態（眼底観察モード）への移行を検知すると、合焦処理部３１はフォーカス指標ＳＰが横一直線になるように被検眼Ｅの眼底Ｅｒに対する合焦処理（フォーカス調整）を行う（Ｓ５０２）。
【００２７】
合焦判定部３２は、合焦処理の結果（フォーカスの調整結果）が閾値範囲内か否かを判定する（Ｓ５０３）。合焦処理の結果が閾値範囲内に収まらない場合（Ｓ５０３−Ｎｏ）、処理をステップＳ５０２に戻し、合焦処理を継続する。合焦処理の結果が閾値範囲内に収まった場合（Ｓ５０３−Ｙｅｓ）、システム制御部２５は、測光処理を開始するようカメラ制御部１０５に制御信号を出力し、この制御信号に従いカメラ制御部１０５は測光部１０３の動作を制御する。ステップＳ５０４において、測光部１０３は撮像素子１０２からの出力に基づき、観察光に対する眼底Ｅｒからの反射光について測光処理を行う。
【００２８】
ステップＳ５０４の測光処理の結果は、ステップＳ５０５の観察光量調整処理と、ステップＳ５０９の撮影光量調整処理とに用いられる。観察光量調整部２８により観察光量調整処理（Ｓ５０５）が実行され、撮影光量調整部２４によって撮影光量調整処理（Ｓ５０９）が実行され、システム制御部２５の制御の下、２つの処理は並列に実行される。
【００２９】
まず、ステップＳ５０５において、観察光量調整部２８は、カメラ制御部１０５およびシステム制御部２５を介して、測光部１０３の測定結果（測光値）を取得する。観察光量調整部２８はアライメント処理に適した観察光量を算出し、アライメント処理に適した観察像を生成する。観察用モニター１０４は、調整した観察光で照射した眼底Ｅｒの観察画像を表示する。観察光量調整部２８が観察光量の調整処理を終了した後、処理はステップＳ５０６のアライメント処理へ進められる。
【００３０】
ステップＳ５０６のアライメント処理において、アライメント処理部３３は、アライメント指標ＷＤ１、ＷＤ２がアライメント位置Ｍ（目標位置）に入るように、被検眼Ｅと眼科撮影装置との位置合わせを行う。ステップＳ５０７において、アライメント判定部３４は、位置合わせの結果が閾値範囲内か否かを判定する。位置合わせの結果が閾値範囲内に収まっていない場合（Ｓ５０７−Ｎｏ）、処理をステップＳ５０６に戻し、アライメント処理を継続する。アライメント判定部３４が、位置合わせの結果が閾値範囲内と判断した場合（Ｓ５０７−Ｙｅｓ）、処理はステップＳ５０８の自動撮影処理へ進められる。
【００３１】
一方、ステップＳ５０９において、撮影光量調整部２４は、カメラ制御部１０５およびシステム制御部２５を介して、測光部１０３の測定結果（測光値）を取得する。そして、撮影光量調整部２４は、合焦処理の結果が閾値範囲内であると合焦判定部３２が判断した後で、かつ、アライメント処理が完了する前に、測光部１０３が測光した測光値に基づき、撮影処理のための撮影光量を決定する。合焦処理の結果が閾値範囲内の場合（Ｓ５０３−Ｙｅｓ）、フォーカス方向の光量の変動は少ないため被検眼Ｅと眼科撮影装置とのアライメント処理による測光結果への影響は小さい。また、合焦処理後、撮影前の観察光に対する眼底Ｅｒからの反射光の測光結果を使用することで、被験者の負担を増やすことなく有用な測光結果を取得することが可能となる。撮影光量調整処理（Ｓ５０９）の終了後、処理はステップＳ５０８の自動撮影処理へ進められる。
【００３２】
ステップＳ５０８において、自動撮影処理部３５は撮影光量調整部２４を制御して、決定された撮影光量による自動撮影を実行する。アライメント判定部３４が、位置合わせの結果が閾値範囲内と判断した直後に、撮影光量調整部２４によって調整された適正な撮影光量による自動撮影が可能となる。
【００３３】
本実施形態では、合焦処理の結果が閾値範囲内と判断した場合に測光部１０３による測光を開始する構成としたが、本発明の趣旨はこの構成例に限定されるものではない。例えば、測光部１０３による測光を常に行い、観察光量調整部２８あるいは撮影光量調整部２４において、必要な測光値のみを用いて観察光量あるいは撮影光量を調整するようにしてもよい。また、観察光量調整部２８によるアライメント処理用の観察光量の調整完了後にアライメント処理を開始する構成としたが、本発明の趣旨はこの構成例に限定されるものではない。例えば、システム制御部２５の制御の下、測光処理および観察光量の調整処理と、アライメント処理とを並列処理として実行し、測光部１０３による測光結果をもとに決定した観察光量を、アライメント処理中に適宜反映する構成にしてもよい。
【００３４】
本実施形態によれば、観察光量および撮影光量を自動調光する機能と、自動撮影機能を有する眼科撮影装置において、眼底観察状態における各処理における好適な観察画像を提供することができる。また、自動撮影機能により操作者の操作負担を軽減しつつ、被験者の負担を増大することなく好適な露光状態の撮影画像を得ることが可能となる。
【００３５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014094181.tif 000003
【図３Ａ】
2014094181.tif 000004
【図３Ｂ】
2014094181.tif 000005
【図４】
2014094181.tif 000006
【図５】
2014094181.tif 000007
【図２】
2014094181.tif 000008